(57)【要約】【課題】位置検出部の故障により洗浄運転の中断ができなくなること、及び位置検出部が故障した状態で洗浄運転が再開されることを防止した食器洗浄機を提供する。【解決手段】運転制御部１１は、洗浄運転中にロックセンサ６２がＯＦＦ（ロック状態が検出されない状態）になったときに、洗浄運転を中断し、その後、位置センサ４５がＯＦＦ（洗浄槽セット状態が検出されない状態）である状態から、位置センサ４５がＯＮ（洗浄槽セット状態が検出された状態）、且つロックセンサ６２がＯＮ（ロック状態が検出された状態）である状態に切り替わったときに、洗浄運転を再開する。【選択図】  図３
2016112041.tif 000002
【特許請求の範囲】
【請求項１】
食器が収容される洗浄槽と、
前面に開口を有し、該開口を介して前記洗浄槽が出し入れされる筐体と、
前記洗浄槽が前記筐体内の所定の洗浄位置に収納された洗浄槽セット状態を検出する位置検出部と、
前記洗浄槽が前記筐体内の前記洗浄位置に収納されているときに隠蔽される位置に配置された操作部と、
前記洗浄槽が前記筐体内の前記洗浄位置に収納されているときに、使用者の操作に応じて、前記筐体に対する前記洗浄槽の位置を固定したロック状態と、前記筐体に対する前記
洗浄槽の出し入れが可能なアンロック状態とを切り替えるロック機構と、
前記ロック状態を検出するロック状態検出部と、
前記操作部に対して前記洗浄槽内を洗浄する洗浄運転の開始を指示する操作がなされた後に、前記位置検出部により前記洗浄槽セット状態が検出され、且つ、前記ロック状態検出部により前記ロック状態が検出されたことを条件として、前記洗浄運転を開始する運転制御部と
を備えた食器洗浄機であって、
前記運転制御部は、前記洗浄運転の実行中に前記ロック機構が操作されて、前記ロック状態検出部により前記ロック状態が検出されなくなったときに、前記洗浄運転を中断し、その後、前記洗浄槽が前記筐体から引き出された後に前記筐体内に収納されて、前記位置検出部により前記洗浄槽セット状態が検出されない状態から、前記位置検出部により前記洗浄槽セット状態が検出され、且つ前記ロック状態検出部により前記ロック状態が検出された状態に切り替わったことを条件として、前記洗浄運転を再開することを特徴とする食器洗浄機。
【請求項２】
請求項１に記載の食器洗浄機において、
前記洗浄運転の実行中に前記ロック状態検出部により前記ロック状態が検出されない状態になって、前記運転制御部により前記洗浄運転が中断された時から、所定時間が経過するまで、前記位置検出部により前記洗浄槽セット状態が検出された状態が維持されたときに、報知を行う報知部を備えたことを特徴とする食器洗浄機。
【発明の詳細な説明】
【技術分野】
【０００１】
本発明は、前面引き出し式の食器洗浄機に関する。
【背景技術】
【０００２】
従来、システムキッチン等に設置される食器洗浄機として、洗浄機本体の前面側（使用者が対面する側）に設けられた開口を介して、食器が収容される洗浄槽を水平方向にスライドさせて出し入れする構成とした、前面引き出し式の食器洗浄機が知られている（例えば、特許文献１参照）。
【０００３】
特許文献１に記載された食器洗浄機においては、システムキッチンとの一体感を向上させると共に、食器洗浄運転中のスイッチの誤操作を防止するために、使用者により操作されるスイッチ（電源スイッチ、設定スイッチ、スタートスイッチ）が、洗浄槽が収容された状態で隠蔽されるドアの上面に設けられている。また、洗浄槽が収納された状態であることを検出する収納検知部（位置検出部）が備えられている。
【０００４】
そして、位置検出部がＯＦＦ（洗浄槽が本体から引き出された状態）であるときに、使用者により電源スイッチが操作され、設定スイッチによって運転コースが選択されて、スタートスイッチが操作された後、位置検出部がＯＮ（洗浄槽が本体内に収納された状態）になったときに、食器洗浄運転を開始する構成になっている。
【０００５】
また、食器洗浄運転の実行中に、使用者により洗浄槽が引き出されて位置検出部がＯＦＦになると、食器洗浄運転を一時停止し、洗浄槽が洗浄機本体に再び収容されて位置検出部がＯＮになると、食器洗浄運転を再開する構成になっている。
【０００６】
また、位置検出部がＯＮであるときに、電源スイッチやスタートスイッチが操作されたときには、位置検出部の誤検出が生じていると判断して、これらの操作を受け付けずにブザーによる異常報知を行う構成になっている。
【先行技術文献】
【特許文献】
【０００７】
【特許文献１】特開２０１４−１２４２０１号公報
【発明の概要】
【発明が解決しようとする課題】
【０００８】
特許文献１に記載された食器洗浄機においては、食器洗浄運転中に洗浄槽が引き出されて位置検出部がＯＦＦになったときに、食器洗浄運転を中断する構成になっている。そして、食器洗浄運転中に位置検出部の故障が生じて、洗浄槽の位置に拘わらず位置検出部がＯＮに維持される状態になると、使用者が食器洗浄運転を一時停止しようとして、洗浄槽を引き出しても、食器洗浄運転が継続されてしまうという不都合がある。
【０００９】
さらに、このように、位置検出部がＯＮに維持されているときは、操作部の操作が受け付けられないため、使用者は操作部を操作して食器洗浄運転を停止することもできない。また、位置検出部が故障した状態で食器洗浄運転が実行されることは好ましくない。
【００１０】
本発明はかかる背景に鑑みてなされたものであり、位置検出部の故障により、食器洗浄運転を停止することができなくなることを防止すると共に、位置検出部が故障した状態で食器洗浄運転が実行されることを防止した食器洗浄機を提供することを目的とする。
【課題を解決するための手段】
【００１１】
上記目的を達成するために、本発明の食器洗浄機は、
食器が収容される洗浄槽と、
前面に開口を有し、該開口を介して前記洗浄槽が出し入れされる筐体と、
前記洗浄槽が前記筐体内の所定の洗浄位置に収納された洗浄槽セット状態を検出する位置検出部と、
前記洗浄槽が前記筐体内の前記洗浄位置に収納されているときに隠蔽される位置に配置された操作部と、
前記洗浄槽が前記筐体内の前記洗浄位置に収納されているときに、使用者の操作に応じて、前記筐体に対する前記洗浄槽の位置を固定したロック状態と、前記筐体に対する前記
洗浄槽の出し入れが可能なアンロック状態とを切り替えるロック機構と、
前記ロック状態を検出するロック状態検出部と、
前記操作部に対して前記洗浄槽内を洗浄する洗浄運転の開始を指示する操作がなされた後に、前記位置検出部により前記洗浄槽セット状態が検出され、且つ、前記ロック状態検出部により前記ロック状態が検出されたことを条件として、前記洗浄運転を開始する運転制御部と
を備えた食器洗浄機に関する。
【００１２】
そして、前記運転制御部は、前記洗浄運転の実行中に前記ロック機構が操作されて、前記ロック状態検出部により前記ロック状態が検出されなくなったときに、前記洗浄運転を中断し、その後、前記洗浄槽が前記筐体から引き出された後に前記筐体に収納されて、前記位置検出部により前記洗浄槽セット状態が検出されない状態から、前記位置検出部により前記洗浄槽セット状態が検出され、且つ前記ロック状態検出部により前記ロック状態が検出された状態に切り替わったことを条件として、前記洗浄運転を再開することを特徴とする。
【００１３】
かかる本発明によれば、前記洗浄運転が実行されているときに、使用者が、前記ロック機構を操作して前記アンロック状態にすると、前記ロック状態検出手段により前記ロック状態が検出されなくなるため、前記運転制御部によって前記洗浄運転が中断される。そのため、前記位置検出部の故障が生じて、前記洗浄槽を前記筐体から引き出しても、前記位置検出部により前記洗浄槽セット状態が誤検知される状況になっても、使用者は、前記ロック機構を操作して前記洗浄運転を中断させることができる。
【００１４】
そして、前記運転制御部は、前記洗浄運転を中断したときには、その後、使用者が前記洗浄槽を前記筐体から引き出した後に前記筐体内に収納して、前記位置検出部により前記洗浄槽セット状態が検出されない状態から、前記位置検出部により前記洗浄槽セット状態が検出され、且つ前記ロック状態検出部により前記ロック状態が検出された状態に切り替わったことを条件として、前記洗浄運転を再開する。
【００１５】
この場合、前記位置検出部の故障が生じていて、前記洗浄槽を前記筐体から引き出しても、前記位置検出部により前記洗浄槽セット状態であると誤検知されているときは、使用者が前記洗浄槽を前記筐体内に収納しても前記洗浄運転は再開されない。そのため、前記位置検出部の故障が生じている状態で、前記洗浄運転が再開されることを防止することができる。
【００１６】
なお、前記洗浄運転には、前記洗浄槽に収容された食器を洗浄する食器洗浄運転と、前記洗浄槽自体を洗浄する槽内洗浄運転とが含まれる。
【００１７】
また、前記洗浄運転の実行中に前記ロック状態検出部により前記ロック状態が検出されない状態になって、前記運転制御部により前記洗浄運転が中断された時から、所定時間が経過するまで、前記位置検出部により前記洗浄槽セット状態が検出された状態が維持されたときに、報知を行う報知部を備えたことを特徴とする。
【００１８】
この構成によれば、前記洗浄運転の実行中に、使用者が誤って前記ロック機構を操作して前記洗浄運転が中断され、使用者が前記洗浄運転の中断に気付いていない場合に、前記所定時間が経過した時に前記報知部により報知が行われる。そして、この報知により、使用者に前記洗浄運転の再開操作を促して、前記洗浄運転が中断されたまま放置されることを防止することができる。
【００１９】
また、前記位置検出部の故障により、使用者が前記洗浄槽を前記筐体から引き出しても、前記位置検出部により前記洗浄槽セット状態が誤検知された状態になっている場合にも、前記所定時間が経過した時に前記報知部により報知が行われる。そして、この報知により、使用者に前記位置検出部の故障が生じていることを認識させて、前記位置検出部の修理を促すことができる。
【図面の簡単な説明】
【００２０】
【図１】本実施形態の食器洗浄機の構成を断面により示した説明図。
【図２】図１に示した食器洗浄機の使用態様の説明図。
【図３】図１に示した食器洗浄機の制御ブロック図。
【図４】図１に示した操作パネルの構成図。
【図５】洗浄運転の中断及び再開処理のフローチャート。
【発明を実施するための形態】
【００２１】
本発明の食器洗浄機の実施形態について、図１〜図５を参照して説明する。
【００２２】
図１を参照して、本実施形態の食器洗浄機１は、システムキッチン等の天板（カウンタートップ）ＣＴの下部に備え付けられた前面引き出し式の食器洗浄機であり、筐体４０の開口Ｍを介して洗浄槽２０が水平方向にスライドして出し入れされる。
【００２３】
筐体４０内には、洗浄槽２０に水を供給するための給水管４１、給水管４１を開閉して洗浄槽２０への水の供給と停止を切り替える給水電磁弁４４、洗浄槽２０内の水を排水するための排水管４２、洗浄槽２０が筐体４０の最奥部付近の洗浄位置に収納された洗浄槽セット状態を検出する位置センサ４５（本発明の位置検出部に相当する）、及び洗浄槽２０からの漏水等を検出する電極センサ４６が備えられている。
【００２４】
洗浄槽２０には、Ｗ等の食器を収容した食器かご２１がセットされ、食器に向けて水を噴射する洗浄ノズル２２、洗浄槽２０に貯められた水を加熱するヒータ２３、洗浄槽２０の温度を検出する温度センサ２４、ポンプ２６、及び乾燥ファン２８が備えられている。
【００２５】
ポンプ２６は、正転作動時は洗浄槽２０内の水を洗浄ノズル２２から噴射して循環させ、逆転作動時には洗浄槽２０内の水を残菜フィルタ２５及び排水管４２を介して排出する。乾燥ファン２８は、ヒータ２３を作動させた状態で回転作動することにより、温風を洗浄槽２０内に送出して食器を乾燥させる。乾燥ファン２８により洗浄槽２０内に送出された温風は、洗浄槽２０の前面上方の通気口ｅから排気される。
【００２６】
洗浄槽２０の貯水部と連通管２７により接続された水位検出槽３０には、洗浄槽２０に所定水位の水が貯められていることを検出するフロート式の水位センサ３１が設けられている。
【００２７】
洗浄槽２０の前端の上面には、使用者により操作される操作部５０が配置されている。操作部５０の詳細については後述する。さらに、洗浄槽２０には、食器洗浄機１の全体的な作動を制御するコントローラ１０が備えられ、洗浄槽２０の前面には、洗浄槽２０を出し入れする際に使用者により把持される取手部６０が設けられている。
【００２８】
取手部６０には、筐体４０の爪部６３と係合して、洗浄槽２０を筐体４０の洗浄位置に固定するロックレバー６１と、ロックレバー６１と、ロックレバー６１がロック位置（筐体４０の爪部６３と係合する位置）にあることを検出するロックセンサ６２（本発明ロック状態検出部に相当する）が備えられている。なお、取手部６０とロックレバー６１と筐体４０の爪部６３とにより、本発明のロック機構が構成される。
【００２９】
使用者が取手部６０を握ると、ロックレバー６１が上方向に回転して爪部との係合が外れ、洗浄槽２０の出し入れが可能なアンロック状態となる。ロックレバー６１はロック方向に付勢されており、使用者が取手部６０から手を放すと、ロックレバー６１がロック位置に復帰する。
【００３０】
このように構成されていることにより、使用者が取手部６０を握って（アンロック状態）洗浄槽２０を筐体４０内の洗浄位置まで押し込み、取手部６０から手を放すことにより、洗浄槽２０が洗浄位置に固定された状態となる（洗浄槽セット状態、ロック状態）。このロック状態で、洗浄運転が実行される。
【００３１】
次に、図２（ａ）に示したように、洗浄槽２０が筐体４０内の洗浄位置に収納されてロック状態にあるときは、位置センサ４５がＯＮ（検出状態）になると共に、ロックセンサ６２もＯＮになる。それに対して、図２（ｂ）に示したように、洗浄槽２０が筐体４０から引き出されているときには、位置センサ４５がＯＦＦ（非検出状態）になり、ロックセンサ６２は、使用者による取手部６０の把持状態に応じてＯＮとＯＦＦが切り替わる。
【００３２】
また、操作部５０は洗浄槽２０の前部の天面に設けられているため、図２（ａ）に示した洗浄槽２０が筐体４０に収納された状態では、操作部５０がシステムキッチンの天板ＣＴによって隠蔽される。そのため、使用者は操作部５０の操作及び視認をすることができない。
【００３３】
そこで、食器洗浄機１においては、図２（ｂ）に示した洗浄槽２０が筐体４０から引き出された状態で、使用者が、操作部５０を操作して洗浄運転の開始を指示した後に、洗浄槽２０を筐体４０に押し込むことにより、位置センサ４５とロックセンサ６２が共にＯＮすることを条件として、洗浄運転が開始される仕様となっている。
【００３４】
なお、本実施形態においては、洗浄槽２０に収容された食器の洗浄と乾燥を行う運転（食器洗浄運転）と、洗浄槽２０に収容された食器の乾燥のみを行う運転（食器乾燥運転）と、洗浄槽２０及び食器かご２１の洗浄を行う運転（槽内洗浄運転）とを、洗浄運転と総称する。
【００３５】
次に、図３を参照して、コントローラ１０は、図示しないＣＰＵ、メモリ、インターフェース回路等により構成された電子回路ユニットであり、メモリに保持された食器洗浄機１の制御用プログラムをＣＰＵで実行することにより、一連の洗浄運転の処理を実行する運転制御部１１と、使用者に対する報知を行う報知部１２として機能する。
【００３６】
コントローラ１０には、温度センサ２４、水位センサ３１、位置センサ４５、及び電極センサ４６の各検出信号が入力される。また、コントローラ１０から駆動回路７０を介して出力される制御信号により、ヒータ２３、ポンプ２６、給水電磁弁４４、及び乾燥ファン２８の作動が制御される。
【００３７】
さらに、コントローラ１０には、操作部５０のスイッチ５１，５３，５４の操作信号が入力される。また、コントローラ１０から操作部５０に出力される制御信号により、コースＬＥＤ５３ａ〜５３ｅ、予約ＬＥＤ５４ａ、及びブザー５５の作動が制御される。
【００３８】
操作部５０には、図４に示したように、洗浄運転の開始と一時停止を指示するためのスタートスイッチ５１、洗浄運転のコース（運転工程）を選択するためのコース選択部５２、予約運転を指示するための予約スイッチ５４、及び予約運転が設定されていることを示すための予約ＬＥＤ５４ａが設けられている。
【００３９】
なお、スタートスイッチ５１の操作による洗浄運転の開始指示は、本発明の洗浄運転の開始を指示する操作に相当する。
【００４０】
コース選択部５２は、洗浄運転のコースの切り替えを指示するためのコース選択スイッチ５３と、選択中のコースを示すコースＬＥＤ５３ａ〜５３ｅとを備えている。使用者がコース選択スイッチ５３を操作する度に、選択される洗浄運転のコースが、「標準コース」→「標準＋乾燥２時間コース」→「標準＋ソフト排気コース」→「標準＋ソフト排気＋乾燥２時間コース」→「念入りコース」→「念入り＋乾燥２時間コース」→「念入り＋ソフト排気コース」→「念入り＋ソフト排気＋乾燥２時間コース」→「乾燥コース」→「槽内洗浄コース」→「標準コース」→ … と順次切り替えられる。
【００４１】
「槽内洗浄コース」は、洗浄槽２０や食器かご２１に付着した石灰質成分等を除去するために、食器用洗剤とは異なる槽内洗浄剤（例えばクエン酸を主成分とする洗剤）を用いて、洗浄槽２０内を洗浄するコースである。「槽内洗浄コース」以外のコースは、洗浄槽２０に収容された食器を洗浄又は乾燥するコースである。
【００４２】
ここで、「標準コース」は、「洗浄工程」→「水すすぎ工程」→「加熱すすぎ工程」→「乾燥工程」を実行する基本的なコースである。「標準＋乾燥２時間コース」は、「標準コース」において、乾燥工程の時間を２時間に変更したコースである。
【００４３】
「標準＋ソフト排気コース」は、「標準コース」において、乾燥工程で通気口ｅから排気される温風の温度を４０℃に抑えるコースである。「標準＋ソフト排気＋乾燥２時間コース」は、「標準コース」において、乾燥工程の時間を２時間に変更すると共に乾燥工程で通気口ｅから排気される温風の温度を４０℃に抑えるコースである。
【００４４】
また、「念入りコース」、「念入り＋乾燥２時間コース」、「念入り＋ソフト排気コース」、及び「念入り＋ソフト排気＋乾燥２時間コース」は、「標準コース」、「標準＋乾燥２時間コース」、「標準＋ソフト換気コース」、及び「標準＋ソフト換気＋乾燥２時間コース」において、それぞれ加熱すすぎ工程におけるすすぎ水の加熱温度を８０℃に設定するコースである。「乾燥コース」は、乾燥工程のみを実行するコースである。
【００４５】
「槽内洗浄コース」は、洗浄工程において洗浄水を「標準コース」よりも高温に加温すること、及び給水量を増やすこと以外は、「標準コース」と同様である。
【００４６】
コントローラ１０は、選択されているコースに応じて、コースＬＥＤ５３ａ〜５３ｅ（標準ＬＥＤ５３ａ、念入りＬＥＤ５３ｂ、乾燥ＬＥＤ５３ｃ、槽内洗浄５３ｄ、ソフト排気ＬＥＤ５３ｅ）の点灯と消灯を切り替える。
【００４７】
例えば、「標準コース」が選択されているときには、コントローラ１０は標準ＬＥＤ５３ａのみを点灯して他のＬＥＤ５３ｂ〜５３ｅを消灯する。また、「標準＋乾燥２時間コース」が選択されているときは、コントローラ１０は、標準ＬＥＤ５３ａ及び乾燥ＬＥＤ５３ｃを点灯して、他のＬＥＤ５３ｂ，５３ｄ，５３ｅを消灯する。
【００４８】
コントローラ１０は、食器洗浄機１の設置時等に電源接続部（図示しない）が商用電源に接続されて、電源スイッチ（図示しない）がＯＮ状態とされたときに作動を開始する。コントローラ１０は、洗浄槽２０が筐体４０から引き出されて、位置センサ４５がＯＦＦ（洗浄槽セット状態が検出されない状態）になったときに、洗浄運転の初期選択コースである「標準コース」を選択して標準ＬＥＤ５３ａを点灯する。
【００４９】
コントローラ１０は、洗浄槽２０が引き出されて、ＬＥＤ５３ａ〜５３ｅ，５４ａのいずれが点灯しているときに、使用者によりスタートスイッチ５１が長押し操作されたときには、全てのＬＥＤ５３ａ〜５３ｅ，５４ａを消灯する。このように、全てのＬＥＤ５３ａ〜５３ｅ，５４ａが消灯した状態であるときに、使用者がスイッチ５１，５３，５４のいずれか操作すると、コントローラ１０は、操作に応じてＬＥＤ５３ａ〜５３ｅ，５４ａのいずれかを点灯する。
【００５０】
次に、図５に示したフローチャートに従って、運転制御部１１による洗浄運転の中断と再開の処理と、報知部１２による報知処理について説明する。
【００５１】
運転制御部１１は、洗浄運転の実行中に、使用者が取手部６０を握ってロックセンサ６２がＯＦＦになったときに、ＳＴＥＰ１からＳＴＥＰ２に進んで洗浄運転を中断する。この場合、位置センサ４５のＯＮ故障（洗浄槽２０を筐体４０から引き出しても、位置センサ４５がＯＦＦせずにＯＮの状態が維持される故障）が生じていても、ロックセンサ６２が正常動作していれば、使用者は取手部６０を握ることで洗浄運転を中断させることができる。
【００５２】
続くＳＴＥＰ３及びＳＴＥＰ４から分岐したＳＴＥＰ１０，ＳＴＥＰ１１は、報知部１２による処理である。報知部１２は、ＳＴＥＰ３でタイマをスタートさせる。なお、タイマの設定時間は、本発明の所定時間に相当する。
【００５３】
ＳＴＥＰ４で、運転制御部１１は、位置センサ４５がＯＦＦしているか否かを判断するそして、位置センサ４５がＯＦＦしているときはＳＴＥＰ５に進み、位置センサ４５がＯＮしているときにはＳＴＥＰ１０に分岐する。
【００５４】
ここで、位置センサ４５がＯＦＦしているときは、位置センサ４５が正常に動作していて、使用者により洗浄槽２０が筐体４０から引き出されたと判断することができる。そこで、ＳＴＥＰ５において、位置センサ４５とロックセンサ６２が共にＯＮになり、使用者が洗浄槽２０を筐体４０の洗浄セット位置まで押し込んだと判断できるときに、ＳＴＥＰ６に進み、運転制御部１１は洗浄運転を再開する。
【００５５】
一方、ＳＴＥＰ４で位置センサ４５がＯＮであるときには、以下の（１）又は（２）の状況になっていると判断することできる。
（１）位置センサ４５が正常に動作しており、使用者が誤って取手部６０を握ったが洗浄槽２０を筐体４０から引き出さなかったため、洗浄槽２０が筐体４０に収納された状態が維持された状況。
（２）位置センサ４５がＯＮ故障しており、使用者が取手部６０を握って洗浄槽２０を筐体４０から引き出したが、位置センサ４５がＯＮである状態が維持された状況。
【００５６】
そこで、報知部１２は、ＳＴＥＰ１０でタイマがタイムアップしているか否かを判断し、タイマがタイムアップ（所定時間が経過）している場合はＳＴＥＰ１１に進み、タイマがタイムアップしていない場合にはＳＴＥＰ４に戻る。
【００５７】
ＳＴＥＰ１１で、報知部１２は、ブザー５５を鳴動させる。なお、ブザー５５を鳴動させると共にＬＥＤを点滅（例えば、予約ＬＥＤ５４ａの点滅等）させてもよい。これにより、上記（１）の状況になっているときは、使用者に洗浄運転が中断されていることを認識させて、洗浄運転の再開操作（洗浄槽２０の筐体４０への押し込み）を促すことができる。
【００５８】
また、上記（２）の状況になっているときには、使用者に位置センサ４５が故障しているために、洗浄運転の再開が禁止されていることを認識させて、位置センサ４５の修理を促すことができる。
【００５９】
なお、本実施形態では、図５のＳＴＥＰ３，４、１０，１１の報知部１２による処理によって、上記（１）又は（２）の状況になっていることを使用者に報知するようにしたが、この処理を行わない場合にも本発明の効果を得ることができる。
【００６０】
また、図５のＳＴＥＰ３でタイマをスタートさせて、ＳＴＥＰ４で位置センサ４５がＯＦＦした後、ＳＴＥＰ５で位置センサ４５とロックセンサ６２が共にＯＮになる前に、タイマがタイムアップした場合に、ブザー５５を鳴動させて使用者に洗浄運転の再開操作を促すようにしてもよい。
【符号の説明】
【００６１】
１…食器洗浄機、１０…コントローラ、１１…運転制御部、１２…報知部、２０…洗浄槽、４０…筐体、４５…位置センサ（位置検出部）、５０…操作部、５１…スタートスイッチ、６０…取手部（ロック機構）、６１…ロックレバー（ロック機構）、６２…ロックセンサ（ロック状態検出部）、６３…爪部（ロック機構）。
【図１】
2016112041.tif 000003
【図２】
2016112041.tif 000004
【図３】
2016112041.tif 000005
【図４】
2016112041.tif 000006
【図５】
2016112041.tif 000007